(57)【要約】  表示制御装置（１００）は、車両（１）用の表示装置（２）に用いられる表示制御装置（１００）であって、車両（１）の第１前部座席を含む領域が撮影された画像に対する画像認識処理を実行することにより、第１前部座席に着座した第１搭乗者の眼部に第１有色透明体が設けられているか否かを判定する有色透明体判定部（１２）と、画像認識処理を実行することにより、表示装置（２）に対する第１搭乗者の第１視線角度又は第１搭乗者の眼部を含む領域における第１眼部照度のうちの少なくとも一方を判定する眼部情報判定部（１５）と、有色透明体判定部（１２）及び眼部情報判定部（１５）による判定結果を用いて、表示装置（２）の発光輝度を制御する輝度制御部（１７）とを備える。
2018011884.tif 000002
【特許請求の範囲】
【請求項１】
車両用の表示装置に用いられる表示制御装置であって、
前記車両の第１前部座席を含む領域が撮影された画像に対する画像認識処理を実行することにより、前記第１前部座席に着座した第１搭乗者の眼部に第１有色透明体が設けられているか否かを判定する有色透明体判定部と、
前記画像認識処理を実行することにより、前記表示装置に対する前記第１搭乗者の第１視線角度又は前記第１搭乗者の眼部を含む領域における第１眼部照度のうちの少なくとも一方を判定する眼部情報判定部と、
前記有色透明体判定部及び前記眼部情報判定部による判定結果を用いて、前記表示装置の発光輝度を制御する輝度制御部と、
を備えることを特徴とする表示制御装置。
【請求項２】
前記判定結果を用いて、前記表示装置の表示画像を制御する画像制御部を備えることを特徴とする請求項１記載の表示制御装置。
【請求項３】
前記有色透明体判定部は、前記第１搭乗者の眼部に前記第１有色透明体が設けられている場合、前記第１有色透明体の色を判定し、
前記画像制御部は、前記判定結果を用いて、前記表示画像の色を制御する
ことを特徴とする請求項２記載の表示制御装置。
【請求項４】
前記画像制御部は、前記判定結果を用いて、前記表示画像のコントラスト比を制御することを特徴とする請求項２記載の表示制御装置。
【請求項５】
前記画像認識処理は、前記車両の前記第１前部座席及び第２前部座席を含む領域が撮影された前記画像に対する前記画像認識処理であり、
前記有色透明体判定部は、前記画像認識処理を実行することにより、前記第２前部座席に着座した第２搭乗者の眼部に第２有色透明体が設けられているか否かを判定し、
前記眼部情報判定部は、前記画像認識処理を実行することにより、前記表示装置に対する前記第２搭乗者の第２視線角度又は前記第２搭乗者の眼部を含む領域における第２眼部照度のうちの少なくとも一方を判定する
ことを特徴とする請求項１記載の表示制御装置。
【請求項６】
前記眼部情報判定部は、前記第１視線角度及び前記第２視線角度を判定し、
前記輝度制御部は、前記第１視線角度と前記第２視線角度との平均値を算出し、当該平均値に応じて前記発光輝度を制御する
ことを特徴とする請求項５記載の表示制御装置。
【請求項７】
前記眼部情報判定部は、前記第１眼部照度及び前記第２眼部照度を判定し、
前記輝度制御部は、前記第１眼部照度と前記第２眼部照度との平均値を算出し、当該平均値に応じて前記発光輝度を制御する
ことを特徴とする請求項５記載の表示制御装置。
【請求項８】
前記判定結果を用いて、前記表示装置の表示画像を制御する画像制御部を備えることを特徴とする請求項５記載の表示制御装置。
【請求項９】
前記有色透明体判定部は、前記第１搭乗者の眼部に前記第１有色透明体が設けられている場合、前記第１有色透明体の色を判定し、前記第２搭乗者の眼部に前記第２有色透明体が設けられている場合、前記第２有色透明体の色を判定し、
前記画像制御部は、前記判定結果を用いて、前記表示画像の色を制御する
ことを特徴とする請求項８記載の表示制御装置。
【請求項１０】
前記画像制御部は、前記第１搭乗者の眼部に前記第１有色透明体が設けられており、かつ、前記第２搭乗者の眼部に前記第２有色透明体が設けられている場合、前記第１有色透明体の色と前記第２有色透明体の色との平均値を算出し、当該平均値に応じて前記表示画像の色を制御することを特徴とする請求項９記載の表示制御装置。
【請求項１１】
前記画像制御部は、前記第１搭乗者の眼部に前記第１有色透明体が設けられており、かつ、前記第２搭乗者の眼部に前記第２有色透明体が設けられていない場合、前記第１有色透明体の色と無色との平均値を算出し、当該平均値に応じて前記表示画像の色を制御することを特徴とする請求項９記載の表示制御装置。
【請求項１２】
前記画像制御部は、前記第１搭乗者の眼部に前記第１有色透明体が設けられておらず、かつ、前記第２搭乗者の眼部に前記第２有色透明体が設けられている場合、前記第２有色透明体の色と無色との平均値を算出し、当該平均値に応じて前記表示画像の色を制御することを特徴とする請求項９記載の表示制御装置。
【請求項１３】
前記画像制御部は、前記判定結果を用いて、前記表示画像のコントラスト比を制御することを特徴とする請求項８記載の表示制御装置。
【請求項１４】
前記眼部情報判定部は、前記第１視線角度及び前記第２視線角度を判定し、
前記画像制御部は、前記第１視線角度と前記第２視線角度との平均値を算出し、当該平均値に応じて前記表示画像のコントラスト比を制御する
ことを特徴とする請求項１３記載の表示制御装置。
【請求項１５】
前記表示装置は、前記第１搭乗者用の第１表示部と、前記第２搭乗者用の第２表示部と、前記第１表示部及び前記第２表示部による共用のバックライトとを備え、
前記輝度制御部は、前記バックライトの前記発光輝度を制御し、
前記画像制御部は、前記第１表示部及び前記第２表示部の前記表示画像を制御する
ことを特徴とする請求項９記載の表示制御装置。
【請求項１６】
前記輝度制御部は、前記第１搭乗者の眼部に前記第１有色透明体が設けられておらず、かつ、前記第２搭乗者の眼部に前記第２有色透明体が設けられていない場合、前記発光輝度を第１輝度値に設定し、前記第１搭乗者の眼部に前記第１有色透明体が設けられており、かつ、前記第２搭乗者の眼部に前記第２有色透明体が設けられていない場合、前記発光輝度を前記第１輝度値よりも高い第２輝度値に設定し、
前記画像制御部は、前記発光輝度が前記第２輝度値に設定された場合、前記発光輝度が前記第１輝度値に設定された場合に対して、前記第２表示部における前記表示画像の色を暗い色に設定する
ことを特徴とする請求項１５記載の表示制御装置。
【請求項１７】
前記輝度制御部は、前記第１搭乗者の眼部に前記第１有色透明体が設けられておらず、かつ、前記第２搭乗者の眼部に前記第２有色透明体が設けられていない場合、前記発光輝度を第１輝度値に設定し、前記第１搭乗者の眼部に前記第１有色透明体が設けられておらず、かつ、前記第２搭乗者の眼部に前記第２有色透明体が設けられている場合、前記発光輝度を前記第１輝度値よりも高い第２輝度値に設定し、
前記画像制御部は、前記発光輝度が前記第２輝度値に設定された場合、前記発光輝度が前記第１輝度値に設定された場合に対して、前記第１表示部における前記表示画像の色を暗い色に設定する
ことを特徴とする請求項１５記載の表示制御装置。
【請求項１８】
前記第１前部座席は、前記車両の運転席により構成されており、
前記有色透明体判定部及び前記眼部情報判定部は、ドライバーモニタリングシステムと共用の画像認識処理部により構成されている
ことを特徴とする請求項１記載の表示制御装置。
【請求項１９】
車両用の表示装置に用いられる表示制御方法であって、
有色透明体判定部が、前記車両の第１前部座席を含む領域が撮影された画像に対する画像認識処理を実行することにより、前記第１前部座席に着座した第１搭乗者の眼部に第１有色透明体が設けられているか否かを判定するステップと、
眼部情報判定部が、前記画像認識処理を実行することにより、前記表示装置に対する前記第１搭乗者の第１視線角度又は前記第１搭乗者の眼部を含む領域における第１眼部照度のうちの少なくとも一方を判定するステップと、
輝度制御部が、前記有色透明体判定部及び前記眼部情報判定部による判定結果を用いて、前記表示装置の発光輝度を制御するステップと、
を備えることを特徴とする表示制御方法。
【発明の詳細な説明】
【技術分野】
【０００１】
本発明は、表示制御装置及び表示制御方法に関するものであり、特に車両用の表示装置に用いられる表示制御装置及び表示制御方法に関する。
【背景技術】
【０００２】
従来、表示装置における発光の輝度（以下「発光輝度」という。）を制御する装置が開発されている。例えば、特許文献１の車両用制御装置は、車両の搭乗者がサングラス又はカラーコンタクトレンズを装着しているか否かを判定し、当該判定の結果に応じて発光輝度を制御している（特許文献１の要約、図１等参照）。
【先行技術文献】
【特許文献】
【０００３】
【特許文献１】特開２００７−２９０４１１号公報
【発明の概要】
【発明が解決しようとする課題】
【０００４】
一般に、液晶ディスプレイなどの表示装置は、いわゆる「視野角特性」を有している。すなわち、表示装置の画面と垂直な直線に対するユーザの視線の角度（以下「視線角度」という。）が大きくなるにつれて、ユーザが視認する輝度（以下「視認輝度」という。）の低下、ユーザが視認するコントラスト比の低下、及びユーザが視認する色味の変化などが生ずる。また、視線角度が特定の値であるとき、ユーザが視認する色調の反転が生ずることもある。【０００５】
特許文献１の車両用制御装置は、発光輝度の制御においてユーザの視線角度を考慮していない。このため、視線角度に応じた適切な値に発光輝度を設定することができず、表示装置における画面の視認性が低いという問題があった。【０００６】
また、例えば車両の座席に太陽光が照射されており、搭乗者の眼部を含む領域の照度（以下「眼部照度」という。）が高い場合、発光輝度に対する視認輝度が低下して、表示装置の画面が暗く視認される。他方、車両の座席が建物等の陰に入っており、搭乗者の眼部照度が低い場合、発光輝度に対する視認輝度が上昇して、表示装置の画面が眩しく視認される。【０００７】
特許文献１の車両用制御装置は、発光輝度の制御においてユーザの眼部照度を考慮していない。このため、眼部照度に応じた適切な値に発光輝度を設定することができず、表示装置における画面の視認性が低いという問題があった。【０００８】
本発明は、上記のような課題を解決するためになされたものであり、車両用の表示装置における画面の視認性を向上することを目的とする。
【課題を解決するための手段】
【０００９】
本発明の表示制御装置は、車両用の表示装置に用いられる表示制御装置であって、車両の第１前部座席を含む領域が撮影された画像に対する画像認識処理を実行することにより、第１前部座席に着座した第１搭乗者の眼部に第１有色透明体が設けられているか否かを判定する有色透明体判定部と、画像認識処理を実行することにより、表示装置に対する第１搭乗者の第１視線角度又は第１搭乗者の眼部を含む領域における第１眼部照度のうちの少なくとも一方を判定する眼部情報判定部と、有色透明体判定部及び眼部情報判定部による判定結果を用いて、表示装置の発光輝度を制御する輝度制御部とを備えるものである。【００１０】
本発明の表示制御方法は、車両用の表示装置に用いられる表示制御方法であって、有色透明体判定部が、車両の第１前部座席を含む領域が撮影された画像に対する画像認識処理を実行することにより、第１前部座席に着座した第１搭乗者の眼部に第１有色透明体が設けられているか否かを判定するステップと、眼部情報判定部が、画像認識処理を実行することにより、表示装置に対する第１搭乗者の第１視線角度又は第１搭乗者の眼部を含む領域における第１眼部照度のうちの少なくとも一方を判定するステップと、輝度制御部が、有色透明体判定部及び眼部情報判定部による判定結果を用いて、表示装置の発光輝度を制御するステップとを備えるものである。
【発明の効果】
【００１１】
本発明の表示制御装置及び表示制御方法は、有色透明体判定部による判定結果に加えて、眼部情報判定部による判定結果を用いて発光輝度を制御する。これにより、車両用の表示装置における画面の視認性を向上することができる。
【図面の簡単な説明】
【００１２】
【図１】本発明の実施の形態１に係る表示制御装置の要部を示す機能ブロック図である。
【図２】本発明の実施の形態１に係る表示制御装置の要部を示すハードウェア構成図である。
【図３】本発明の実施の形態１に係る表示制御装置の要部を示す他のハードウェア構成図である。
【図４】本発明の実施の形態１に係る表示制御装置の動作を示すフローチャートである。
【図５】本発明の実施の形態１に係る他の表示制御装置の要部を示す機能ブロック図である。
【図６】本発明の実施の形態１に係る他の表示制御装置の要部を示す機能ブロック図である。
【図７】本発明の実施の形態２に係る表示制御装置の要部を示す機能ブロック図である。
【図８Ａ】本発明の実施の形態２に係る表示制御装置の動作を示すフローチャートである。
【図８Ｂ】本発明の実施の形態２に係る表示制御装置の動作を示すフローチャートである。
【図８Ｃ】本発明の実施の形態２に係る表示制御装置の動作を示すフローチャートである。
【図８Ｄ】本発明の実施の形態２に係る表示制御装置の動作を示すフローチャートである。
【図９】本発明の実施の形態３に係る表示制御装置の要部を示す機能ブロック図である。
【図１０】本発明の実施の形態３に係る表示装置の構造の一例を示す説明図である。
【図１１Ａ】本発明の実施の形態３に係る表示制御装置の動作を示すフローチャートである。
【図１１Ｂ】本発明の実施の形態３に係る表示制御装置の動作を示すフローチャートである。
【図１１Ｃ】本発明の実施の形態３に係る表示制御装置の動作を示すフローチャートである。
【図１１Ｄ】本発明の実施の形態３に係る表示制御装置の動作を示すフローチャートである。
【発明を実施するための形態】
【００１３】
以下、この発明をより詳細に説明するために、この発明を実施するための形態について、添付の図面に従って説明する。
【００１４】
実施の形態１．
図１は、本発明の実施の形態１に係る表示制御装置の要部を示す機能ブロック図である。図２は、本発明の実施の形態１に係る表示制御装置の要部を示すハードウェア構成図である。図３は、本発明の実施の形態１に係る表示制御装置の要部を示す他のハードウェア構成図である。図１〜図３を参照して、実施の形態１の表示制御装置１００について、四輪自動車からなる車両１に応用した例を中心に説明する。
【００１５】
表示装置２は、例えば、車両１のダッシュボードに搭載された液晶ディスプレイにより構成されている。すなわち、表示装置２は、発光ダイオード及び導光板などにより構成されたバックライト３と、液晶モジュールなどにより構成された表示部４とを有している。表示装置２は、車両１に搭載された図示しないナビゲーション装置、光ディスクドライブ若しくはテレビジョン受信機、又は車両１に持ち込まれた図示しないスマートフォン、タブレットコンピュータ若しくはＰＮＤ（Ｐｏｒｔａｂｌｅ  Ｎａｖｉｇａｔｉｏｎ  Ｄｅｖｉｃｅ）などが出力した種々の動画像又は静止画像を表示するものである。以下、動画像及び静止画像を総称して単に「画像」という。
【００１６】
撮影装置５は、例えば、車両１のダッシュボード又は天井部に取り付けられたカメラ６により構成されている。カメラ６は、車両１の運転席又は助手席のうちのいずれか一方の座席（以下「第１前部座席」という。）を含む領域を撮影するものである。より具体的には、カメラ６は、第１前部座席のうちの少なくともヘッドレストを含む領域を前方から撮影するものである。以下、カメラ６により撮影された画像を「撮影画像」という。また、以下、第１前部座席が運転席である例を中心に説明する。
【００１７】
視線有無判定部１１は、撮影画像に対するパターン認識などの画像認識処理（以下、単に「画像認識処理」という。）を実行して、第１前部座席に搭乗者が着座しているか否かを判定するものである。視線有無判定部１１は、第１前部座席に搭乗者が着座している場合、画像認識処理により、この搭乗者（以下「第１搭乗者」という。）の視線が表示装置２に向けられているか否かを判定するものである。視線有無判定部１１は、第１搭乗者の視線が表示装置２に向けられている場合、有色透明体判定部１２、視線角度判定部１３及び眼部照度判定部１４に対して判定処理の実行を指示するものである。
【００１８】
有色透明体判定部１２は、画像認識処理により、第１搭乗者の眼部に、有色透明の樹脂又はガラスなどにより構成された物体（以下「有色透明体」という。）が設けられているか否かを判定するものである。有色透明体とは、例えば、カラーコンタクトレンズ、サングラスのレンズ、又はＰＣ（Ｐｅｒｓｏｎａｌ  Ｃｏｍｐｕｔｅｒ）メガネのレンズなどである。有色透明体判定部１２は、第１搭乗者の眼部に有色透明体が設けられている場合、画像認識処理により、この有色透明体（以下「第１有色透明体」という。）の色を判定するものである。
【００１９】
視線角度判定部１３は、画像認識処理により、表示装置２に対する第１搭乗者の眼部の位置を判定するものである。視線角度判定部１３は、当該位置に基づき、表示装置２の画面と垂直な直線に対する第１搭乗者の視線の角度、すなわち視線角度（以下「第１視線角度」という。）を判定するものである。
【００２０】
眼部照度判定部１４は、画像認識処理により、第１搭乗者の眼部を含む領域の照度、すなわち眼部照度（以下「第１眼部照度」という。）を判定するものである。
【００２１】
視線角度判定部１３及び眼部照度判定部１４により、眼部情報判定部１５が構成されている。視線有無判定部１１、有色透明体判定部１２及び眼部情報判定部１５により、画像認識処理部１６が構成されている。
【００２２】
輝度制御部１７は、有色透明体判定部１２及び眼部情報判定部１５による判定結果を用いて、バックライト３の発光輝度を制御するものである。輝度制御部１７による制御の詳細については、図４のフローチャートを参照して後述する。
【００２３】
画像制御部１８は、有色透明体判定部１２及び眼部情報判定部１５による判定結果を用いて、表示部４に表示される画像（以下「表示画像」という。）を制御するものである。具体的には、例えば、画像制御部１８は、表示画像の色及びコントラスト比を制御するものである。画像制御部１８による制御の詳細については、図４のフローチャートを参照して後述する。
【００２４】
輝度制御部１７及び画像制御部１８により、表示制御部１９が構成されている。画像認識処理部１６及び表示制御部１９により、表示制御装置１００の要部が構成されている。
【００２５】
図２に、表示制御装置１００の要部のハードウェア構成の一例を示す。図２に示す如く、表示制御装置１００はコンピュータにより構成されており、プロセッサ２１及びメモリ２２を有している。メモリ２２には、当該コンピュータを、図１に示す視線有無判定部１１、有色透明体判定部１２、視線角度判定部１３、眼部照度判定部１４、輝度制御部１７及び画像制御部１８として機能させるためのプログラムが記憶されている。メモリ２２に記憶されたプログラムをプロセッサ２１が読み出して実行することにより、図１に示す視線有無判定部１１、有色透明体判定部１２、視線角度判定部１３、眼部照度判定部１４、輝度制御部１７及び画像制御部１８の機能が実現される。
【００２６】
プロセッサ２１は、例えば、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、ＤＳＰ（Ｄｉｇｉｔａｌ  Ｓｉｇｎａｌ  Ｐｒｏｃｅｓｓｏｒ）、マイクロコントローラ又はマイクロプロセッサなどにより構成されている。メモリ２２は、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）若しくはＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）などの半導体メモリ、磁気ディスク、光ディスク又は光磁気ディスクなどにより構成されている。
【００２７】
図３に、表示制御装置１００の要部のハードウェア構成の他の例を示す。図３に示す如く、表示制御装置１００は専用の処理回路２３により構成されたものであっても良い。処理回路２３は、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）若しくはシステムＬＳＩ（Ｌａｒｇｅ−Ｓｃａｌｅ  Ｉｎｔｅｇｒａｔｉｏｎ）又はこれらを組み合わせたものである。
【００２８】
なお、図１に示す視線有無判定部１１、有色透明体判定部１２、視線角度判定部１３、眼部照度判定部１４、輝度制御部１７及び画像制御部１８の各部の機能それぞれを処理回路２３で実現しても良いし、各部の機能をまとめて処理回路２３で実現しても良い。また、図１に示す視線有無判定部１１、有色透明体判定部１２、視線角度判定部１３、眼部照度判定部１４、輝度制御部１７及び画像制御部１８のうちの一部の機能を図２に示すプロセッサ２１及びメモリ２２により実現し、残余の機能を図３に示す処理回路２３により実現したものでも良い。
【００２９】
次に、図４のフローチャートを参照して、表示制御装置１００の動作について説明する。初期状態において、第１前部座席には第１搭乗者が着座している。表示装置２、撮影装置５及び表示制御装置１００はいずれも電源が投入されており、表示装置２は何らかの画面を表示している。
【００３０】
まず、ステップＳＴ１にて、視線有無判定部１１は、画像認識処理により、第１搭乗者の視線が表示装置２に向けられているか否かを判定する。第１搭乗者の視線が表示装置２に向けられている場合（ステップＳＴ１“ＹＥＳ”）、視線有無判定部１１は、有色透明体判定部１２、視線角度判定部１３及び眼部照度判定部１４に対して判定処理の実行を指示する。
【００３１】
次いで、ステップＳＴ２にて、有色透明体判定部１２は、画像認識処理により、第１搭乗者の眼部に第１有色透明体が設けられているか否かを判定する。有色透明体判定部１２は、第１搭乗者の眼部に第１有色透明体が設けられている場合、画像認識処理により第１有色透明体の色を判定する。有色透明体判定部１２は、判定結果を表示制御部１９に出力する。
【００３２】
次いで、ステップＳＴ３にて、視線角度判定部１３は、画像認識処理により、表示装置２に対する第１搭乗者の眼部の位置を判定する。視線角度判定部１３は、当該位置に基づき第１視線角度を判定する。視線角度判定部１３は、判定結果を表示制御部１９に出力する。
【００３３】
次いで、ステップＳＴ４にて、眼部照度判定部１４は、画像認識処理により第１眼部照度を判定する。眼部照度判定部１４は、判定結果を表示制御部１９に出力する。
【００３４】
次いで、ステップＳＴ５にて、輝度制御部１７は、ステップＳＴ２〜ＳＴ４における判定結果を用いて、バックライト３の発光輝度を制御する。具体的には、例えば、輝度制御部１７は、以下の第１制御方法又は第２制御方法のうちのいずれかの方法により発光輝度を制御する。
【００３５】
第１制御方法は、第１輝度値、第２輝度値、第３輝度値の３値により発光輝度を制御するものである。すなわち、第１輝度値は予め設定された値であり、第２輝度値は第１輝度値よりも高い値であり、第３輝度値は第１輝度値と第２輝度値間の値である。輝度制御部１７は、第１視線角度の値を所定の閾値（以下「角度閾値」という。）と比較する。輝度制御部１７は、第１眼部照度の値を所定の閾値（以下「照度閾値」という。）と比較する。
【００３６】
第１搭乗者の眼部に第１有色透明体が設けられており、第１視線角度が角度閾値以上の値であり、かつ、第１眼部照度が照度閾値以上の値である場合、輝度制御部１７は発光輝度を第２輝度値に設定する。第１搭乗者の眼部に第１有色透明体が設けられておらず、第１視線角度が角度閾値未満の値であり、かつ、第１眼部照度が照度閾値未満の値である場合、輝度制御部１７は発光輝度を第１輝度値に設定する。そのほかの場合、輝度制御部１７は発光輝度を第３輝度値に設定する。
【００３７】
第２制御方法は、第１工程、第２工程、第３工程の３工程により発光輝度を制御するものである。すなわち、第１工程にて、輝度制御部１７は、第１搭乗者の眼部に第１有色透明体が設けられている場合は発光輝度を第２輝度値に設定し、第１搭乗者の眼部に第１有色透明体が設けられていない場合は発光輝度を第１輝度値に設定する。
【００３８】
第２工程にて、輝度制御部１７は、第１視線角度の値を角度閾値と比較する。第１視線角度が角度閾値以上の値である場合、輝度制御部１７は、第１工程で設定した値に対して発光輝度の値を上昇させる。第１視線角度が角度閾値未満の値である場合、輝度制御部１７は、第１工程で設定した値に対して発光輝度の値を低下させる。第２工程における輝度値の変化量は、例えば、第１視線角度の値と角度閾値との差分値に応じて設定される。
【００３９】
第３工程にて、輝度制御部１７は、第１眼部照度の値を照度閾値と比較する。第１眼部照度が照度閾値以上の値である場合、輝度制御部１７は、第２工程で設定した値に対して発光輝度の値を上昇させる。第１眼部照度が照度閾値未満の値である場合、輝度制御部１７は、第２工程で設定した値に対して発光輝度の値を低下させる。第３工程における輝度値の変化量は、例えば、第１眼部照度の値と照度閾値との差分値に応じて設定される。
【００４０】
次いで、ステップＳＴ６にて、画像制御部１８は、ステップＳＴ２〜ＳＴ４における判定結果を用いて、表示部４の表示画像を制御する。
【００４１】
すなわち、第１搭乗者の眼部に第１有色透明体が設けられている場合、第１有色透明体の色に応じて、表示画像の色味に対する第１搭乗者の視認する色味が変化する。画像制御部１８は、第１有色透明体による色味の変化を補正するように表示画像の色を制御する。
【００４２】
また、画像制御部１８には、表示装置２の視野角特性を示す情報（以下「視野角特性情報」という。）が予め記憶されている。視野角特性情報は、例えば、視線角度の値ごとに、視認される色味の変化量、視認される色調が反転するか否か、及び視認されるコントラスト比の低下量などを示すものである。
【００４３】
画像制御部１８は、第１視線角度に対応する視野角特性情報を用いて、視野角特性に基づく色味の変化及び色調の反転を補正するように表示画像の色を制御する。画像制御部１８は、第１視線角度に対応する視野角特性情報を用いて、視野角特性に基づくコントラスト比の低下を補正するように表示画像のコントラスト比を制御する。
【００４４】
ステップＳＴ６の後、表示制御装置１００はステップＳＴ１の処理に戻る。また、第１搭乗者の視線が表示装置２に向けられていない場合（ステップＳＴ１“ＮＯ”）、表示制御装置１００はステップＳＴ２〜ＳＴ６の処理を実行せず、ステップＳＴ１の処理に戻る。
【００４５】
このように、実施の形態１の表示制御装置１００は、有色透明体判定部１２による判定結果に加えて、眼部情報判定部１５による判定結果を用いて発光輝度を制御する。これにより、有色透明体判定部１２による判定結果のみを用いて発光輝度を制御する従来の装置（例えば、特許文献１の車両用制御装置）に対して、発光輝度をより適切な値に設定することができる。この結果、表示装置２における画面の視認性を向上することができる。
【００４６】
また、実施の形態１の表示制御装置１００は、バックライト３の発光輝度に加えて、表示部４の表示画像を制御する。具体的には、例えば、表示画像の色及びコントラスト比を制御する。これにより、表示装置２における画面の視認性を更に向上することができる。
【００４７】
なお、表示装置２は、前部座席用の表示装置であれば良く、車両１のダッシュボードに搭載された液晶ディスプレイに限定されるものではない。表示装置２は、例えば、第１搭乗者により車両１に持ち込まれたものであっても良い。
【００４８】
また、表示装置２は、液晶ディスプレイに限定されるものではなく、例えば有機ＥＬ（Ｅｌｅｃｔｒｏ  Ｌｕｍｉｎｅｓｃｅｎｃｅ）ディスプレイを用いたものであっても良い。有機ＥＬディスプレイを用いた場合、表示装置２は、図１に示すバックライト３を除去したものとなる。輝度制御部１７は、ステップＳＴ５にて、有機ＥＬモジュールなどにより構成された表示部４の発光輝度を制御する。
【００４９】
また、画像制御部１８による制御対象は、表示画像の色及びコントラスト比に限定されるものではない。画像制御部１８は、有色透明体判定部１２及び眼部情報判定部１５による判定結果を用いるものであれば、表示画像に対して如何なる画像処理を施すものであっても良い。画像制御部１８は、例えば、表示画像の色又はコントラスト比のうちのいずれか一方のみを制御するものであっても良い。
【００５０】
また、表示制御部１９は、図１に示す画像制御部１８を除去し、輝度制御部１７のみを有するものであっても良い。この場合、表示制御装置１００の動作は、図４に示すステップＳＴ６を除去したものであっても良い。
【００５１】
また、画像制御部１８が表示画像の色を制御しない場合、又は画像制御部１８を除去した場合、有色透明体判定部１２は、有色透明体の有無のみを判定し、有色透明体の色を判定しないものであっても良い。
【００５２】
また、眼部情報判定部１５は、図１に示す眼部照度判定部１４を除去し、視線角度判定部１３のみを有するものであっても良い。この場合、表示制御装置１００の動作は、図４に示すステップＳＴ４を除去したものであっても良い。また、ステップＳＴ５の第１制御方法において、輝度制御部１７は、第１搭乗者の眼部に第１有色透明体が設けられており、かつ、第１視線角度が角度閾値以上の値である場合に発光輝度を第２輝度値に設定し、第１搭乗者の眼部に第１有色透明体が設けられておらず、かつ、第１視線角度が角度閾値未満の値である場合に発光輝度を第１輝度値に設定し、そのほかの場合に発光輝度を第３輝度値に設定するものであっても良い。また、ステップＳＴ５の第２制御方法において、輝度制御部１７は、第１工程及び第２工程の２工程により発光輝度を制御するものであっても良い。
【００５３】
また、眼部情報判定部１５は、図１に示す視線角度判定部１３を除去し、眼部照度判定部１４のみを有するものであっても良い。この場合、表示制御装置１００の動作は、図４に示すステップＳＴ３を除去したものであっても良い。また、ステップＳＴ５の第１制御方法において、輝度制御部１７は、第１搭乗者の眼部に第１有色透明体が設けられており、かつ、第１眼部照度が照度閾値以上の値である場合に発光輝度を第２輝度値に設定し、第１搭乗者の眼部に第１有色透明体が設けられておらず、かつ、第１眼部照度が照度閾値未満の値である場合に発光輝度を第１輝度値に設定し、そのほかの場合に発光輝度を第３輝度値に設定するものであっても良い。また、ステップＳＴ５の第２制御方法において、輝度制御部１７は、第１工程及び第３工程の２工程により発光輝度を制御するものであっても良い。
【００５４】
また、輝度制御部１７による発光輝度の制御方法は、第１制御方法又は第２制御方法に限定されるものではない。輝度制御部１７は、有色透明体判定部１２及び眼部情報判定部１５による判定結果を用いるものであれば、如何なる方法にて発光輝度を制御するものであっても良い。
【００５５】
また、第１前部座席が運転席である場合、撮影装置５及び画像認識処理部１６は、いわゆる「ドライバーモニタリングシステム（Ｄｒｉｖｅｒ  Ｍｏｎｉｔｏｒｉｎｇ  Ｓｙｓｔｅｍ，ＤＭＳ）」と共用のものであっても良い。この場合、視線有無判定部１１は、上記判定に加えて、ＤＭＳにより第１搭乗者（すなわち運転者）の居眠りが検出された場合も、第１搭乗者の視線が表示装置２に向けられていないと判定するものであっても良い。
【００５６】
また、表示制御装置１００は、表示装置２と一体に構成されたものであっても良い。この場合の機能ブロック図を図５に示す。
【００５７】
また、表示制御装置１００は、画像認識処理部１６が撮影装置５と一体に構成され、かつ、表示制御部１９が表示装置２と一体に構成されたものであっても良い。この場合の機能ブロック図を図６に示す。
【００５８】
また、車両１は、少なくとも１つの前部座席を有する自動車であれば良く、四輪自動車に限定されるものではない。
【００５９】
以上のように、実施の形態１の表示制御装置１００は、車両１用の表示装置２に用いられる表示制御装置１００であって、車両１の第１前部座席を含む領域が撮影された画像（撮影画像）に対する画像認識処理を実行することにより、第１前部座席に着座した第１搭乗者の眼部に第１有色透明体が設けられているか否かを判定する有色透明体判定部１２と、画像認識処理を実行することにより、表示装置２に対する第１搭乗者の第１視線角度又は第１搭乗者の眼部を含む領域における第１眼部照度のうちの少なくとも一方を判定する眼部情報判定部１５と、有色透明体判定部１２及び眼部情報判定部１５による判定結果を用いて、表示装置２の発光輝度を制御する輝度制御部１７とを備える。有色透明体判定部１２の判定結果に加えて眼部情報判定部１５の判定結果を用いることにより、表示装置２の発光輝度をより適切な値に設定することができる。この結果、表示装置２における画面の視認性を向上することができる。
【００６０】
また、表示制御装置１００は、判定結果を用いて、表示装置２の表示画像を制御する画像制御部１８を備える。発光輝度に加えて表示画像を制御することにより、表示装置２における画面の視認性を更に向上することができる。
【００６１】
また、有色透明体判定部１２は、第１搭乗者の眼部に第１有色透明体が設けられている場合、第１有色透明体の色を判定し、画像制御部１８は、判定結果を用いて、表示画像の色を制御する。表示画像の色を制御することにより、有色透明体による色味の変化を補正することができる。また、視野角特性に基づく色味の変化又は色調の反転などを補正することができる。
【００６２】
また、画像制御部１８は、判定結果を用いて、表示画像のコントラスト比を制御する。表示画像のコントラスト比を制御することにより、視野角特性に基づくコントラスト比の低下などを補正することができる。
【００６３】
また、第１前部座席は、車両１の運転席により構成されており、有色透明体判定部１２及び眼部情報判定部１５は、ドライバーモニタリングシステムと共用の画像認識処理部１６により構成されている。表示制御装置１００とＤＭＳとで画像認識処理部１６を共用することにより、車両１全体における電装部品の個数を削減して、車両１のコストを低減することができる。
【００６４】
また、実施の形態１の表示制御方法は、車両１用の表示装置２に用いられる表示制御方法であって、有色透明体判定部１２が、車両１の第１前部座席を含む領域が撮影された画像に対する画像認識処理を実行することにより、第１前部座席に着座した第１搭乗者の眼部に第１有色透明体が設けられているか否かを判定するステップ（ステップＳＴ２）と、眼部情報判定部１５が、画像認識処理を実行することにより、表示装置２に対する第１搭乗者の第１視線角度又は第１搭乗者の眼部を含む領域における第１眼部照度のうちの少なくとも一方を判定するステップ（ステップＳＴ３又はステップＳＴ４）と、輝度制御部１７が、有色透明体判定部１２及び眼部情報判定部１５による判定結果を用いて、表示装置２の発光輝度を制御するステップ（ステップＳＴ５）とを備える。有色透明体判定部１２の判定結果に加えて眼部情報判定部１５の判定結果を用いることにより、表示装置２の発光輝度をより適切な値に設定することができる。この結果、表示装置２における画面の視認性を向上することができる。
【００６５】
実施の形態２．
図７は、本発明の実施の形態２に係る表示制御装置の要部を示す機能ブロック図である。図７を参照して、実施の形態２の表示制御装置１００ａについて説明する。なお、図１に示す実施の形態１の表示制御装置１００と同様の構成部材については、同一符号を付して説明を省略する。
【００６６】
撮影装置５ａは、例えば、車両１のダッシュボード又は天井部に取り付けられたカメラ６ａにより構成されている。カメラ６ａは、車両１の運転席又は助手席のうちの一方の座席、すなわち第１前部座席と、運転席又は助手席のうちの他方の座席（以下「第２前部座席」という。）との両座席を含む領域を撮影するものである。より具体的には、カメラ６ａは、第１前部座席及び第２前部座席の両座席のうちの少なくともヘッドレストを含む領域を前方から撮影するものである。なお、カメラ６ａは、第１前部座席用の第１カメラ（不図示）と第２前部座席用の第２カメラ（不図示）との２つのカメラにより構成されたものであっても良い。以下、第１前部座席が運転席であり、かつ、第２前部座席が助手席である例を中心に説明する。
【００６７】
視線有無判定部１１ａは、図１に示す視線有無判定部１１と同様に、第１前部座席に第１搭乗者が着座しているか否かを判定するものである。視線有無判定部１１ａは、第１前部座席に第１搭乗者が着座している場合、第１搭乗者の視線が表示装置２に向けられているか否かを判定するものである。視線有無判定部１１ａは、第１搭乗者の視線が表示装置２に向けられている場合、有色透明体判定部１２ａ、視線角度判定部１３ａ及び眼部照度判定部１４ａに対して、第１搭乗者に関する判定処理の実行を指示するものである。
【００６８】
また、視線有無判定部１１ａは、画像認識処理により、第２前部座席に搭乗者が着座しているか否かを判定するものである。視線有無判定部１１ａは、第２前部座席に搭乗者が着座している場合、画像認識処理により、この搭乗者（以下「第２搭乗者」という。）の視線が表示装置２に向けられているか否かを判定するものである。視線有無判定部１１ａは、第２搭乗者の視線が表示装置２に向けられている場合、有色透明体判定部１２ａ、視線角度判定部１３ａ及び眼部照度判定部１４ａに対して、第２搭乗者に関する判定処理の実行を指示するものである。
【００６９】
有色透明体判定部１２ａは、図１に示す有色透明体判定部１２と同様に、第１搭乗者の眼部に第１有色透明体が設けられている否かを判定するものである。有色透明体判定部１２ａは、第１搭乗者の眼部に第１有色透明体が設けられている場合、第１有色透明体の色を判定するものである。
【００７０】
また、有色透明体判定部１２ａは、画像認識処理により、第２搭乗者の眼部に有色透明体が設けられているか否かを判定するものである。有色透明体判定部１２ａは、第２搭乗者の眼部に有色透明体が設けられている場合、画像認識処理により、この有色透明体（以下「第２有色透明体」という。）の色を判定するものである。
【００７１】
視線角度判定部１３ａは、図１に示す視線角度判定部１３と同様に、表示装置２に対する第１搭乗者の眼部の位置を判定するものである。視線角度判定部１３ａは、当該位置に基づき、第１視線角度を判定するものである。
【００７２】
また、視線角度判定部１３ａは、画像認識処理により、表示装置２に対する第２搭乗者の眼部の位置を判定するものである。視線角度判定部１３ａは、当該位置に基づき、表示装置２の画面と垂直な直線に対する第２搭乗者の視線の角度、すなわち視線角度（以下「第２視線角度」という。）を判定するものである。
【００７３】
眼部照度判定部１４ａは、図１に示す眼部照度判定部１４と同様に、第１眼部照度を判定するものである。また、眼部照度判定部１４ａは、画像認識処理により、第２搭乗者の眼部を含む領域の照度、すなわち眼部照度（以下「第２眼部照度」という。）を判定するものである。
【００７４】
視線角度判定部１３ａ及び眼部照度判定部１４ａにより、眼部情報判定部１５ａが構成されている。視線有無判定部１１ａ、有色透明体判定部１２ａ及び眼部情報判定部１５ａにより、画像認識処理部１６ａが構成されている。
【００７５】
輝度制御部１７ａは、有色透明体判定部１２ａ及び眼部情報判定部１５ａによる判定結果を用いて、バックライト３の発光輝度を制御するものである。輝度制御部１７ａによる制御の詳細については、図８のフローチャートを参照して後述する。
【００７６】
画像制御部１８ａは、有色透明体判定部１２ａ及び眼部情報判定部１５ａによる判定結果を用いて、表示部４の表示画像を制御するものである。具体的には、例えば、画像制御部１８ａは、表示画像の色及びコントラスト比を制御するものである。画像制御部１８ａによる制御の詳細については、図８のフローチャートを参照して後述する。
【００７７】
輝度制御部１７ａ及び画像制御部１８ａにより、表示制御部１９ａが構成されている。画像認識処理部１６ａ及び表示制御部１９ａにより、表示制御装置１００ａの要部が構成されている。
【００７８】
表示制御装置１００ａの要部のハードウェア構成は、図２又は図３に示す表示制御装置１００のハードウェア構成と同様であるため、図示及び説明を省略する。
【００７９】
次に、図８のフローチャートを参照して、表示制御装置１００ａの動作について説明する。初期状態において、第１前部座席には第１搭乗者が着座しており、第２前部座席には第２搭乗者が着座している。表示装置２、撮影装置５ａ及び表示制御装置１００ａはいずれも電源が投入されており、表示装置２は何らかの画面を表示している。
【００８０】
まず、ステップＳＴ１１にて、視線有無判定部１１ａは、画像認識処理により、第１搭乗者の視線が表示装置２に向けられているか否かを判定する。また、ステップＳＴ１２又はステップＳＴ１３にて、視線有無判定部１１ａは、画像認識処理により、第２搭乗者の視線が表示装置２に向けられているか否かを判定する。
【００８１】
第１搭乗者の視線が表示装置２に向けられており、かつ、第２搭乗者の視線が表示装置２に向けられていない場合（ステップＳＴ１１“ＹＥＳ”かつステップＳＴ１２“ＮＯ”）、視線有無判定部１１ａは、有色透明体判定部１２ａ、視線角度判定部１３ａ及び眼部照度判定部１４ａに対して、第１搭乗者に関する判定処理の実行を指示する。
【００８２】
次いで、有色透明体判定部１２ａがステップＳＴ２１の処理を実行し、視線角度判定部１３ａがステップＳＴ２２の処理を実行し、眼部照度判定部１４ａがステップＳＴ２３の処理を実行し、輝度制御部１７ａがステップＳＴ２４の処理を実行し、画像制御部１８ａがステップＳＴ２５の処理を実行する。ステップＳＴ２１〜ＳＴ２５の処理内容は、図４に示すステップＳＴ２〜ＳＴ６と同様であるため、説明を省略する。
【００８３】
第１搭乗者の視線が表示装置２に向けられておらず、かつ、第２搭乗者の視線が表示装置２に向けられている場合（ステップＳＴ１１“ＮＯ”かつステップＳＴ１３“ＹＥＳ”）、視線有無判定部１１ａは、有色透明体判定部１２ａ、視線角度判定部１３ａ及び眼部照度判定部１４ａに対して、第２搭乗者に関する判定処理の実行を指示する。
【００８４】
次いで、ステップＳＴ３１にて、有色透明体判定部１２ａは、画像認識処理により、第２搭乗者の眼部に第２有色透明体が設けられているか否かを判定する。有色透明体判定部１２ａは、第２搭乗者の眼部に第２有色透明体が設けられている場合、画像認識処理により第２有色透明体の色を判定する。有色透明体判定部１２ａは、判定結果を表示制御部１９ａに出力する。
【００８５】
次いで、ステップＳＴ３２にて、視線角度判定部１３ａは、画像認識処理により、表示装置２に対する第２搭乗者の眼部の位置を判定する。視線角度判定部１３ａは、当該位置に基づき第２視線角度を判定する。視線角度判定部１３ａは、判定結果を表示制御部１９ａに出力する。
【００８６】
次いで、ステップＳＴ３３にて、眼部照度判定部１４ａは、画像認識処理により第２眼部照度を判定する。眼部照度判定部１４ａは、判定結果を表示制御部１９ａに出力する。
【００８７】
次いで、ステップＳＴ３４にて、輝度制御部１７ａは、ステップＳＴ３１〜ＳＴ３３における判定結果を用いて、バックライト３の発光輝度を制御する。具体的には、例えば、輝度制御部１７ａは、図４に示すステップＳＴ５と同様の第１制御方法又は第２制御方法により、発光輝度を制御する。
【００８８】
すなわち、第１制御方法は、第１輝度値、第２輝度値、第３輝度値の３値により発光輝度を制御するものである。第２搭乗者の眼部に第２有色透明体が設けられており、第２視線角度が角度閾値以上の値であり、かつ、第２眼部照度が照度閾値以上の値である場合、輝度制御部１７ａは発光輝度を第２輝度値に設定する。第２搭乗者の眼部に第２有色透明体が設けられておらず、第２視線角度が角度閾値未満の値であり、かつ、第２眼部照度が照度閾値未満の値である場合、輝度制御部１７ａは発光輝度を第１輝度値に設定する。そのほかの場合、輝度制御部１７ａは発光輝度を第３輝度値に設定する。
【００８９】
第２制御方法は、第１工程、第２工程、第３工程の３工程により発光輝度を制御するものである。第１工程にて、輝度制御部１７ａは、第２搭乗者の眼部に第２有色透明体が設けられている場合は発光輝度を第２輝度値に設定し、第２搭乗者の眼部に第２有色透明体が設けられていない場合は発光輝度を第１輝度値に設定する。
【００９０】
第２工程にて、輝度制御部１７ａは、第２視線角度の値を角度閾値と比較する。第２視線角度が角度閾値以上の値である場合、輝度制御部１７ａは、第１工程で設定した値に対して発光輝度の値を上昇させる。第２視線角度が角度閾値未満の値である場合、輝度制御部１７ａは、第１工程で設定した値に対して発光輝度の値を低下させる。第２工程における輝度値の変化量は、例えば、第２視線角度の値と角度閾値との差分値に応じて設定される。
【００９１】
第３工程にて、輝度制御部１７ａは、第２眼部照度の値を照度閾値と比較する。第２眼部照度が照度閾値以上の値である場合、輝度制御部１７ａは、第２工程で設定した値に対して発光輝度の値を上昇させる。第２眼部照度が照度閾値未満の値である場合、輝度制御部１７ａは、第２工程で設定した値に対して発光輝度の値を低下させる。第３工程における輝度値の変化量は、例えば、第２眼部照度の値と照度閾値との差分値に応じて設定される。
【００９２】
次いで、ステップＳＴ３５にて、画像制御部１８ａは、ステップＳＴ３１〜ＳＴ３３における判定結果を用いて、表示部４の表示画像を制御する。具体的には、例えば、画像制御部１８ａは、第２有色透明体による色味の変化を補正するように表示画像の色を制御する。
【００９３】
また、画像制御部１８ａは、第２視線角度に対応する視野角特性情報を用いて、視野角特性に基づく色味の変化及び色調の反転を補正するように表示画像の色を制御する。画像制御部１８ａは、第２視線角度に対応する視野角特性情報を用いて、視野角特性に基づくコントラスト比の低下を補正するように表示画像のコントラスト比を制御する。
【００９４】
第１搭乗者の視線が表示装置２に向けられており、かつ、第２搭乗者の視線が表示装置２に向けられている場合（ステップＳＴ１１“ＹＥＳ”かつステップＳＴ１２“ＹＥＳ”）、視線有無判定部１１ａは、有色透明体判定部１２ａ、視線角度判定部１３ａ及び眼部照度判定部１４ａに対して、第１搭乗者及び第２搭乗者に関する判定処理の実行を指示する。
【００９５】
次いで、ステップＳＴ４１にて、有色透明体判定部１２ａは、画像認識処理により、第１搭乗者の眼部に第１有色透明体が設けられているか否かを判定する。有色透明体判定部１２ａは、第１搭乗者の眼部に第１有色透明体が設けられている場合、画像認識処理により第１有色透明体の色を判定する。また、有色透明体判定部１２ａは、画像認識処理により、第２搭乗者の眼部に第２有色透明体が設けられているか否かを判定する。有色透明体判定部１２ａは、第２搭乗者の眼部に第２有色透明体が設けられている場合、画像認識処理により第２有色透明体の色を判定する。有色透明体判定部１２ａは、判定結果を表示制御部１９ａに出力する。
【００９６】
次いで、ステップＳＴ４２にて、視線角度判定部１３ａは、画像認識処理により、表示装置２に対する第１搭乗者の眼部の位置を判定する。視線角度判定部１３ａは、当該位置に基づき第１視線角度を判定する。また、視線角度判定部１３ａは、画像認識処理により、表示装置２に対する第２搭乗者の眼部の位置を判定する。視線角度判定部１３ａは、当該位置に基づき第２視線角度を判定する。視線角度判定部１３ａは、判定結果を表示制御部１９ａに出力する。
【００９７】
次いで、ステップＳＴ４３にて、眼部照度判定部１４ａは、画像認識処理により第１眼部照度を判定する。また、眼部照度判定部１４ａは、画像認識処理により第２眼部照度を判定する。眼部照度判定部１４ａは、判定結果を表示制御部１９ａに出力する。
【００９８】
次いで、ステップＳＴ４４にて、輝度制御部１７ａは、ステップＳＴ４１〜ＳＴ４３における判定結果を用いて、バックライト３の発光輝度を制御する。具体的には、例えば、輝度制御部１７ａは、図４に示すステップＳＴ５と同様の第１制御方法又は第２制御方法により、発光輝度を制御する。
【００９９】
すなわち、第１制御方法は、第１輝度値、第２輝度値、第３輝度値の３値により発光輝度を制御するものである。輝度制御部１７ａは、第１視線角度と第２視線角度との平均値（以下「平均視線角度」という。）を算出する。輝度制御部１７ａは、第１眼部照度と第２眼部照度との平均値（以下「平均眼部照度」という。）を算出する。
【０１００】
第１搭乗者の眼部に第１有色透明体が設けられており、第２搭乗者の眼部に第２有色透明体が設けられており、平均視線角度が角度閾値以上の値であり、かつ、平均眼部照度が照度閾値以上の値である場合、輝度制御部１７ａは発光輝度を第２輝度値に設定する。第１搭乗者の眼部に第１有色透明体が設けられておらず、第２搭乗者の眼部に第２有色透明体が設けられておらず、平均視線角度が角度閾値未満の値であり、かつ、平均眼部照度が照度閾値未満の値である場合、輝度制御部１７ａは発光輝度を第１輝度値に設定する。そのほかの場合、輝度制御部１７ａは発光輝度を第３輝度値に設定する。
【０１０１】
第２制御方法は、第１工程、第２工程、第３工程の３工程により発光輝度を制御するものである。輝度制御部１７ａは、平均視線角度及び平均眼部照度を算出する。
【０１０２】
第１搭乗者の眼部に第１有色透明体が設けられており、かつ、第２搭乗者の眼部に第２有色透明体が設けられている場合、第１工程にて、輝度制御部１７ａは発光輝度を第２輝度値に設定する。第１搭乗者の眼部に第１有色透明体が設けられておらず、かつ、第２搭乗者の眼部に第２有色透明体が設けられていない場合、第１工程にて、輝度制御部１７ａは発光輝度を第１輝度値に設定する。そのほかの場合、第１工程にて、輝度制御部１７ａは発光輝度を第３輝度値に設定する。
【０１０３】
第２工程にて、輝度制御部１７ａは、平均視線角度の値を角度閾値と比較する。平均視線角度が角度閾値以上の値である場合、輝度制御部１７ａは、第１工程で設定した値に対して発光輝度の値を上昇させる。平均視線角度が角度閾値未満の値である場合、輝度制御部１７ａは、第１工程で設定した値に対して発光輝度の値を低下させる。第２工程における輝度値の変化量は、例えば、平均視線角度の値と角度閾値との差分値に応じて設定される。
【０１０４】
第３工程にて、輝度制御部１７ａは、平均眼部照度の値を照度閾値と比較する。平均眼部照度が照度閾値以上の値である場合、輝度制御部１７ａは、第２工程で設定した値に対して発光輝度の値を上昇させる。平均眼部照度が照度閾値未満の値である場合、輝度制御部１７ａは、第２工程で設定した値に対して発光輝度の値を低下させる。第３工程における輝度値の変化量は、例えば、平均眼部照度の値と照度閾値との差分値に応じて設定される。
【０１０５】
次いで、ステップＳＴ４５にて、画像制御部１８ａは、ステップＳＴ４１〜ＳＴ４３における判定結果を用いて、表示部４の表示画像を制御する。具体的には、例えば、第１搭乗者の眼部に第１有色透明体が設けられおり、かつ、第２搭乗者の眼部に第２有色透明体が設けられている場合、画像制御部１８ａは、第１有色透明体の色と第２有色透明体の色との平均値を算出する。画像制御部１８ａは、当該平均値に応じた色味の変化を補正するように表示画像の色を制御する。
【０１０６】
また、第１搭乗者の眼部に第１有色透明体が設けられており、かつ、第２搭乗者の眼部に第２有色透明体が設けられていない場合、画像制御部１８ａは、第１有色透明体の色と無色との平均値を算出する。画像制御部１８ａは、当該平均値に応じた色味の変化を補正するように表示画像の色を制御する。
【０１０７】
また、第１搭乗者の眼部に第１有色透明体が設けられておらず、かつ、第２搭乗者の眼部に第２有色透明体が設けられている場合、画像制御部１８ａは、第２有色透明体の色と無色との平均値を算出する。画像制御部１８ａは、当該平均値に応じた色味の変化を補正するように表示画像の色を制御する。
【０１０８】
また、画像制御部１８ａは、平均視線角度を算出する。画像制御部１８ａは、平均視線角度に対応する視野角特性情報を用いて、視野角特性に基づく色味の変化及び色調の反転を補正するように表示画像の色を制御する。画像制御部１８ａは、平均視線角度に対応する視野角特性情報を用いて、視野角特性に基づくコントラスト比の低下を補正するように表示画像のコントラスト比を制御する。
【０１０９】
ステップＳＴ２５、ステップＳＴ３５又はステップＳＴ４５の後、表示制御装置１００ａはステップＳＴ１１の処理に戻る。また、第１搭乗者の視線が表示装置２に向けられておらず、かつ、第２搭乗者の視線が表示装置２に向けられていない場合（ステップＳＴ１１“ＮＯ”かつステップＳＴ１３“ＮＯ”）、表示制御装置１００ａはステップＳＴ２１〜ＳＴ２５、ステップＳＴ３１〜ＳＴ３５又はステップＳＴ４１〜ＳＴ４５の処理を実行せず、ステップＳＴ１１の処理に戻る。
【０１１０】
このように、実施の形態２の表示制御装置１００ａは、第１搭乗者及び第２搭乗者の両搭乗者の視線が表示装置２に向けられている場合、第１搭乗者に関する判定結果と第２搭乗者に関する判定結果との両判定結果に応じて、表示装置２の発光輝度及び表示画像を制御することができる。特に、第１搭乗者に関する判定結果と第２搭乗者に関する判定結果とが相違する場合、平均値を用いた制御により、第１搭乗者及び第２搭乗者のそれぞれにとって違和感のない表示を実現することができる。
【０１１１】
なお、画像制御部１８ａによる制御対象は、表示画像の色及びコントラスト比に限定されるものではない。画像制御部１８ａは、有色透明体判定部１２ａ及び眼部情報判定部１５ａによる判定結果を用いるものであれば、表示画像に対して如何なる画像処理を施すものであっても良い。画像制御部１８ａは、例えば、表示画像の色又はコントラスト比のうちのいずれか一方のみを制御するものであっても良い。
【０１１２】
また、表示制御部１９ａは、図７に示す画像制御部１８ａを除去し、輝度制御部１７ａのみを有するものであっても良い。この場合、表示制御装置１００ａの動作は、図８に示すステップＳＴ２５，ＳＴ３５，ＳＴ４５を除去したものであっても良い。
【０１１３】
また、画像制御部１８ａが表示画像の色を制御しない場合、又は画像制御部１８ａを除去した場合、有色透明体判定部１２ａは、有色透明体の有無のみを判定し、有色透明体の色を判定しないものであっても良い。
【０１１４】
また、眼部情報判定部１５ａは、図７に示す眼部照度判定部１４ａを除去し、視線角度判定部１３ａのみを有するものであっても良い。この場合、表示制御装置１００ａの動作は、図８に示すステップＳＴ２３，ＳＴ３３，ＳＴ４３を除去したものであっても良い。
【０１１５】
また、この場合、ステップＳＴ２４の第１制御方法において、輝度制御部１７ａは、第１搭乗者の眼部に第１有色透明体が設けられており、かつ、第１視線角度が角度閾値以上の値である場合に発光輝度を第２輝度値に設定し、第１搭乗者の眼部に第１有色透明体が設けられておらず、かつ、第１視線角度が角度閾値未満の値である場合に発光輝度を第１輝度値に設定し、そのほかの場合に発光輝度を第３輝度値に設定するものであっても良い。また、ステップＳＴ２４の第２制御方法において、輝度制御部１７ａは、第１工程及び第２工程の２工程により発光輝度を制御するものであっても良い。
【０１１６】
また、この場合、ステップＳＴ３４の第１制御方法において、輝度制御部１７ａは、第２搭乗者の眼部に第２有色透明体が設けられており、かつ、第２視線角度が角度閾値以上の値である場合に発光輝度を第２輝度値に設定し、第２搭乗者の眼部に第２有色透明体が設けられておらず、かつ、第２視線角度が角度閾値未満の値である場合に発光輝度を第１輝度値に設定し、そのほかの場合に発光輝度を第３輝度値に設定するものであっても良い。また、ステップＳＴ３４の第２制御方法において、輝度制御部１７ａは、第１工程及び第２工程の２工程により発光輝度を制御するものであっても良い。
【０１１７】
また、この場合、ステップＳＴ４４の第１制御方法において、輝度制御部１７ａは、第１搭乗者の眼部に第１有色透明体が設けられており、第２搭乗者の眼部に第２有色透明体が設けられており、かつ、平均視線角度が角度閾値以上の値である場合に発光輝度を第２輝度値に設定し、第１搭乗者の眼部に第１有色透明体が設けられておらず、第２搭乗者の眼部に第２有色透明体が設けられておらず、かつ、平均視線角度が角度閾値未満の値である場合に発光輝度を第１輝度値に設定し、そのほかの場合に発光輝度を第３輝度値に設定するものであっても良い。また、ステップＳＴ４４の第２制御方法において、輝度制御部１７ａは、第１工程及び第２工程の２工程により発光輝度を制御するものであっても良い。
【０１１８】
また、眼部情報判定部１５ａは、図７に示す視線角度判定部１３ａを除去し、眼部照度判定部１４ａのみを有するものであっても良い。この場合、表示制御装置１００ａの動作は、図８に示すステップＳＴ２２，ＳＴ３２，ＳＴ４２を除去したものであっても良い。
【０１１９】
また、この場合、ステップＳＴ２４の第１制御方法において、輝度制御部１７ａは、第１搭乗者の眼部に第１有色透明体が設けられており、かつ、第１眼部照度が照度閾値以上の値である場合に発光輝度を第２輝度値に設定し、第１搭乗者の眼部に第１有色透明体が設けられておらず、かつ、第１眼部照度が照度閾値未満の値である場合に発光輝度を第１輝度値に設定し、そのほかの場合に発光輝度を第３輝度値に設定するものであっても良い。また、ステップＳＴ２４の第２制御方法において、輝度制御部１７ａは、第１工程及び第３工程の２工程により発光輝度を制御するものであっても良い。
【０１２０】
また、この場合、ステップＳＴ３４の第１制御方法において、輝度制御部１７ａは、第２搭乗者の眼部に第２有色透明体が設けられており、かつ、第２眼部照度が照度閾値以上の値である場合に発光輝度を第２輝度値に設定し、第２搭乗者の眼部に第２有色透明体が設けられておらず、かつ、第２眼部照度が照度閾値未満の値である場合に発光輝度を第１輝度値に設定し、そのほかの場合に発光輝度を第３輝度値に設定するものであっても良い。また、ステップＳＴ３４の第２制御方法において、輝度制御部１７ａは、第１工程及び第３工程の２工程により発光輝度を制御するものであっても良い。
【０１２１】
また、この場合、ステップＳＴ４４の第１制御方法において、輝度制御部１７ａは、第１搭乗者の眼部に第１有色透明体が設けられており、第２搭乗者の眼部に第２有色透明体が設けられており、かつ、平均眼部照度が照度閾値以上の値である場合に発光輝度を第２輝度値に設定し、第１搭乗者の眼部に第１有色透明体が設けられておらず、第２搭乗者の眼部に第２有色透明体が設けられておらず、かつ、平均眼部照度が照度閾値未満の値である場合に発光輝度を第１輝度値に設定し、そのほかの場合に発光輝度を第３輝度値に設定するものであっても良い。また、ステップＳＴ４４の第２制御方法において、輝度制御部１７ａは、第１工程及び第３工程の２工程により発光輝度を制御するものであっても良い。
【０１２２】
また、輝度制御部１７ａによる発光輝度の制御方法は、第１制御方法又は第２制御方法に限定されるものではない。輝度制御部１７ａは、有色透明体判定部１２ａ及び眼部情報判定部１５ａによる判定結果を用いるものであれば、如何なる方法にて発光輝度を制御するものであっても良い。
【０１２３】
そのほか、実施の形態２の表示制御装置１００ａは、実施の形態１にて説明したものと同様の種々の変形例を採用することができる。
【０１２４】
以上のように、実施の形態２において、画像認識処理は、車両１の第１前部座席及び第２前部座席を含む領域が撮影された画像（撮影画像）に対する画像認識処理であり、有色透明体判定部１２ａは、画像認識処理を実行することにより、第２前部座席に着座した第２搭乗者の眼部に第２有色透明体が設けられているか否かを判定し、眼部情報判定部１５ａは、画像認識処理を実行することにより、表示装置２に対する第２搭乗者の第２視線角度又は第２搭乗者の眼部を含む領域における第２眼部照度のうちの少なくとも一方を判定する。これにより、第１搭乗者に関する判定結果と第２搭乗者に関する判定結果との両判定結果に応じて、表示装置２の発光輝度を制御することができる。
【０１２５】
また、眼部情報判定部１５ａは、第１視線角度及び第２視線角度を判定し、輝度制御部１７ａは、第１視線角度と第２視線角度との平均値を算出し、当該平均値に応じて発光輝度を制御する。平均値を用いた制御により、第１搭乗者及び第２搭乗者のそれぞれにとって違和感のない表示を実現することができる。
【０１２６】
また、眼部情報判定部１５ａは、第１眼部照度及び第２眼部照度を判定し、輝度制御部１７ａは、第１眼部照度と第２眼部照度との平均値を算出し、当該平均値に応じて発光輝度を制御する。平均値を用いた制御により、第１搭乗者及び第２搭乗者のそれぞれにとって違和感のない表示を実現することができる。
【０１２７】
また、表示制御装置１００ａは、判定結果を用いて、表示装置２の表示画像を制御する画像制御部１８ａを備える。発光輝度に加えて表示画像を制御することにより、表示装置２における画面の視認性を更に向上することができる。
【０１２８】
また、有色透明体判定部１２ａは、第１搭乗者の眼部に第１有色透明体が設けられている場合、第１有色透明体の色を判定し、第２搭乗者の眼部に第２有色透明体が設けられている場合、第２有色透明体の色を判定し、画像制御部１８ａは、判定結果を用いて、表示画像の色を制御する。表示画像の色を制御することにより、有色透明体による色味の変化を補正することができる。また、視野角特性に基づく色味の変化又は色調の反転などを補正することができる。
【０１２９】
また、画像制御部１８ａは、第１搭乗者の眼部に第１有色透明体が設けられており、かつ、第２搭乗者の眼部に第２有色透明体が設けられている場合、第１有色透明体の色と第２有色透明体の色との平均値を算出し、当該平均値に応じて表示画像の色を制御する。平均値を用いた制御により、第１搭乗者及び第２搭乗者のそれぞれにとって違和感のない表示を実現することができる。
【０１３０】
また、画像制御部１８ａは、第１搭乗者の眼部に第１有色透明体が設けられており、かつ、第２搭乗者の眼部に第２有色透明体が設けられていない場合、第１有色透明体の色と無色との平均値を算出し、当該平均値に応じて表示画像の色を制御する。平均値を用いた制御により、第１搭乗者及び第２搭乗者のそれぞれにとって違和感のない表示を実現することができる。
【０１３１】
また、画像制御部１８ａは、第１搭乗者の眼部に第１有色透明体が設けられておらず、かつ、第２搭乗者の眼部に第２有色透明体が設けられている場合、第２有色透明体の色と無色との平均値を算出し、当該平均値に応じて表示画像の色を制御する。平均値を用いた制御により、第１搭乗者及び第２搭乗者のそれぞれにとって違和感のない表示を実現することができる。
【０１３２】
また、画像制御部１８ａは、判定結果を用いて、表示画像のコントラスト比を制御する。表示画像のコントラスト比を制御することにより、視野角特性に基づくコントラスト比の低下などを補正することができる。
【０１３３】
また、眼部情報判定部１５ａは、第１視線角度及び第２視線角度を判定し、画像制御部１８ａは、第１視線角度と第２視線角度との平均値を算出し、当該平均値に応じて表示画像のコントラスト比を制御する。平均値を用いた制御により、第１搭乗者及び第２搭乗者のそれぞれにとって違和感のない表示を実現することができる。
【０１３４】
実施の形態３．
図９は、本発明の実施の形態３に係る表示制御装置の要部を示す機能ブロック図である。図１０は、本発明の実施の形態３に係る表示装置の構造の一例を示す説明図である。図９及び図１０を参照して、実施の形態３の表示制御装置１００ｂについて説明する。なお、図７に示す実施の形態２の表示制御装置１００ａと同様の構成部材については、同一符号を付して説明を省略する。
【０１３５】
表示装置２ｂは、いわゆる「スプリットビュー」に対応した液晶ディスプレイにより構成されている。すなわち、表示部４ｂは、第１搭乗者用の表示部（以下「第１表示部」という。）７ｂと、第２搭乗者用の表示部（以下「第２表示部」という。）８ｂとを有している。第１表示部７ｂと第２表示部８ｂとは一体に構成されており、第１表示部７ｂの画面と第２表示部８ｂの画面とは一枚の画面により構成されている。また、バックライト３ｂは、第１表示部７ｂ及び第２表示部８ｂにより共用されるものである。
【０１３６】
図１０に、表示装置２ｂの構造の一例を示す。図１０に示す如く、表示部４ｂに対する手前側にバリア部材９ｂが配置されている。バリア部材９ｂにより、第１搭乗者Ｐ１は、第１表示部７ｂを視認することができ、かつ、第２表示部８ｂを視認することができない。バリア部材９ｂにより、第２搭乗者Ｐ２は、第２表示部８ｂを視認することができ、かつ、第１表示部７ｂを視認することができない。
【０１３７】
輝度制御部１７ｂは、有色透明体判定部１２ａ及び眼部情報判定部１５ａによる判定結果を用いて、バックライト３ｂの発光輝度を制御するものである。輝度制御部１７ｂによる制御の詳細については、図１１のフローチャートを参照して後述する。
【０１３８】
画像制御部１８ｂは、有色透明体判定部１２ａ及び眼部情報判定部１５ａによる判定結果を用いて、第１表示部７ｂ及び第２表示部８ｂの表示画像を制御するものである。具体的には、例えば、画像制御部１８ｂは、表示画像の色及びコントラスト比を制御するものである。画像制御部１８ｂによる制御の詳細については、図１１のフローチャートを参照して後述する。
【０１３９】
輝度制御部１７ｂ及び画像制御部１８ｂにより、表示制御部１９ｂが構成されている。画像認識処理部１６ａ及び表示制御部１９ｂにより、表示制御装置１００ｂの要部が構成されている。
【０１４０】
表示制御装置１００ｂの要部のハードウェア構成は、図２又は図３に示す表示制御装置１００のハードウェア構成と同様であるため、図示及び説明を省略する。
【０１４１】
次に、図１１のフローチャートを参照して、表示制御装置１００ｂの動作について説明する。初期状態において、第１前部座席には第１搭乗者が着座しており、第２前部座席には第２搭乗者が着座している。表示装置２ｂ、撮影装置５ａ及び表示制御装置１００ｂはいずれも電源が投入されており、表示装置２ｂは何らかの画面を表示している。
【０１４２】
図１１Ａに示すステップＳＴ５１〜ＳＴ５３の処理内容は、図８Ａに示すステップＳＴ１１〜ＳＴ１３と同様であるため、説明を省略する。
【０１４３】
図１１Ｂに示すステップＳＴ６１〜ＳＴ６５の処理内容は、図８Ｂに示すステップＳＴ２１〜ＳＴ２５と同様であるため、説明を省略する。なお、ステップＳＴ６５にて、表示制御部１９ｂは第１表示部７ｂの表示画像を制御する。
【０１４４】
図１１Ｃに示すステップＳＴ７１〜ＳＴ７５の処理内容は、図８Ｃに示すステップＳＴ３１〜ＳＴ３５と同様であるため、説明を省略する。なお、ステップＳＴ７５にて、表示制御部１９ｂは第２表示部８ｂの表示画像を制御する。
【０１４５】
第１搭乗者の視線が表示装置２ｂに向けられており、かつ、第２搭乗者の視線が表示装置２ｂに向けられている場合（ステップＳＴ５１“ＹＥＳ”かつステップＳＴ５２“ＹＥＳ”）、視線有無判定部１１ａは、有色透明体判定部１２ａ、視線角度判定部１３ａ及び眼部照度判定部１４ａに対して、第１搭乗者及び第２搭乗者に関する判定処理の実行を指示する。
【０１４６】
次いで、有色透明体判定部１２ａがステップＳＴ８１の処理を実行し、視線角度判定部１３ａがステップＳＴ８２の処理を実行し、眼部照度判定部１４ａがステップＳＴ８３の処理を実行する。ステップＳＴ８１〜ＳＴ８３の処理内容は、図８Ｄに示すステップＳＴ４１〜ＳＴ４３と同様であるため、説明を省略する。
【０１４７】
次いで、ステップＳＴ８１〜ＳＴ８３における判定結果を用いて、輝度制御部１７ｂがバックライト３ｂの発光輝度を制御する（ステップＳＴ８４）とともに、画像制御部１８ｂが第１表示部７ｂ及び第２表示部８ｂの表示画像を制御する（ステップＳＴ８５）。
【０１４８】
具体的には、例えば、第１搭乗者の眼部に第１有色透明体が設けられておらず、かつ、第２搭乗者の眼部に第２有色透明体が設けられていない場合、輝度制御部１７ｂは、バックライト３ｂの発光輝度を第１輝度値に設定する。画像制御部１８ｂは、第１視線角度に対応する視野角特性情報を用いて、第１表示部７ｂにおける表示画像の色及びコントラスト比を制御する。画像制御部１８ｂは、第２視線角度に対応する視野角特性情報を用いて、第２表示部８ｂにおける表示画像の色及びコントラスト比を制御する。
【０１４９】
これに対して、第１搭乗者の眼部に第１有色透明体が設けられており、かつ、第２搭乗者の眼部に第２有色透明体が設けられていない場合、輝度制御部１７ｂは、バックライト３ｂの発光輝度を第１輝度値よりも高い２輝度値に設定する。この場合、画像制御部１８ｂは、発光輝度が第１輝度値に設定された場合に対して、第２表示部８ｂにおける表示画像の色を暗い色に設定する。これにより、第２有色透明体を有しない（すなわちサングラス等を装着していない）第２搭乗者が、第２輝度値に設定されたバックライト３ｂの光を眩しく感じるのを抑制することができる。
【０１５０】
また、第１搭乗者の眼部に第１有色透明体が設けられておらず、かつ、第２搭乗者の眼部に第２有色透明体が設けられている場合も、輝度制御部１７ｂは、バックライト３ｂの発光輝度を第１輝度値よりも高い２輝度値に設定する。この場合、画像制御部１８ｂは、発光輝度が第１輝度値に設定された場合に対して、第１表示部７ｂにおける表示画像の色を暗い色に設定する。これにより、第１有色透明体を有しない（すなわちサングラス等を装着していない）第１搭乗者が、第２輝度値に設定されたバックライト３ｂの光を眩しく感じるのを抑制することができる。
【０１５１】
また、第１搭乗者の眼部に第１有色透明体が設けられており、かつ、第２搭乗者の眼部に第２有色透明体が設けられている場合も、輝度制御部１７ｂは、バックライト３ｂの発光輝度を第１輝度値よりも高い第２輝度値に設定する。画像制御部１８ｂは、第１有色透明体の色に応じて第１表示部７ｂにおける表示画像の色を制御するとともに、第１視線角度に対応する視野角特性情報を用いて当該表示画像の色及びコントラスト比を制御する。画像制御部１８ｂは、第２有色透明体の色に応じて第２表示部８ｂにおける表示画像の色を制御するとともに、第２視線角度に対応する視野角特性情報を用いて当該表示画像の色及びコントラスト比を制御する。
【０１５２】
このように、実施の形態３の表示制御装置１００ｂは、スプリットビューに対応した表示装置２ｂの発光輝度及び表示画像を制御することができる。また、表示制御装置１００ｂは、第１搭乗者又は第２搭乗者のうちの一方の搭乗者が有色透明体を有しており、かつ、他方の搭乗者が有色透明体を有していない場合、バックライト３ｂの発光輝度を高い値（第２輝度値）に設定するとともに、有色透明体を有しない搭乗者に対応する表示部における表示画像の色を暗くする。これにより、第１表示部７ｂ及び第２表示部８ｂがバックライト３ｂを共用する構造において、有色透明体を有しない搭乗者がバックライト３ｂの光を眩しく感じるのを抑制することができる。
【０１５３】
以上のように、実施の形態３において、表示装置２ｂは、第１搭乗者用の第１表示部７ｂと、第２搭乗者用の第２表示部８ｂと、第１表示部７ｂ及び第２表示部８ｂによる共用のバックライト３ｂとを備え、輝度制御部１７ｂは、バックライト３ｂの発光輝度を制御し、画像制御部１８ｂは、第１表示部７ｂ及び第２表示部８ｂの表示画像を制御する。これにより、スプリットビューに対応した表示装置２ｂの発光輝度及び表示画像を制御することができる。
【０１５４】
また、輝度制御部１７ｂは、第１搭乗者の眼部に第１有色透明体が設けられておらず、かつ、第２搭乗者の眼部に第２有色透明体が設けられていない場合、発光輝度を第１輝度値に設定し、第１搭乗者の眼部に第１有色透明体が設けられており、かつ、第２搭乗者の眼部に第２有色透明体が設けられていない場合、発光輝度を第１輝度値よりも高い第２輝度値に設定し、画像制御部１８ｂは、発光輝度が第２輝度値に設定された場合、発光輝度が第１輝度値に設定された場合に対して、第２表示部８ｂにおける表示画像の色を暗い色に設定する。これにより、第１有色透明体を有する第１搭乗者に合わせてバックライト３ｂの発光輝度を設定しつつ、第２有色透明体を有しない第２搭乗者がバックライト３ｂの光を眩しく感じるのを抑制することができる。
【０１５５】
また、輝度制御部１７ｂは、第１搭乗者の眼部に第１有色透明体が設けられておらず、かつ、第２搭乗者の眼部に第２有色透明体が設けられていない場合、発光輝度を第１輝度値に設定し、第１搭乗者の眼部に第１有色透明体が設けられておらず、かつ、第２搭乗者の眼部に第２有色透明体が設けられている場合、発光輝度を第１輝度値よりも高い第２輝度値に設定し、画像制御部１８ｂは、発光輝度が第２輝度値に設定された場合、発光輝度が第１輝度値に設定された場合に対して、第１表示部７ｂにおける表示画像の色を暗い色に設定する。これにより、第２有色透明体を有する第２搭乗者に合わせてバックライト３ｂの発光輝度を設定しつつ、第１有色透明体を有しない第１搭乗者がバックライト３ｂの光を眩しく感じるのを抑制することができる。
【０１５６】
なお、本願発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【０１５７】
本発明の表示制御装置は、車両に搭載され又は持ち込まれる表示装置の制御に用いることができる。
【符号の説明】
【０１５８】
１  車両、２，２ｂ  表示装置、３，３ｂ  バックライト、４，４ｂ  表示部、５，５ａ  撮影装置、６，６ａ  カメラ、７ｂ  第１表示部、８ｂ  第２表示部、９ｂ  バリア部材、１１，１１ａ  視線有無判定部、１２，１２ａ  有色透明体判定部、１３，１３ａ  視線角度判定部、１４，１４ａ  眼部照度判定部、１５，１５ａ  眼部情報判定部、１６，１６ａ  画像認識処理部、１７，１７ａ，１７ｂ  輝度制御部、１８，１８ａ，１８ｂ  画像制御部、１９，１９ａ，１９ｂ  表示制御部、２１  プロセッサ、２２  メモリ、２３  処理回路、１００，１００ａ，１００ｂ  表示制御装置。
【図１】
2018011884.tif 000003
【図２】
2018011884.tif 000004
【図３】
2018011884.tif 000005
【図４】
2018011884.tif 000006
【図５】
2018011884.tif 000007
【図６】
2018011884.tif 000008
【図７】
2018011884.tif 000009
【図８Ａ】
2018011884.tif 000010
【図８Ｂ】
2018011884.tif 000011
【図８Ｃ】
2018011884.tif 000012
【図８Ｄ】
2018011884.tif 000013
【図９】
2018011884.tif 000014
【図１０】
2018011884.tif 000015
【図１１Ａ】
2018011884.tif 000016
【図１１Ｂ】
2018011884.tif 000017
【図１１Ｃ】
2018011884.tif 000018
【図１１Ｄ】
2018011884.tif 000019
【国際調査報告】
2018011884.tif 000020
2018011884.tif 000021
2018011884.tif 000022
2018011884.tif 000023